(57)【要約】      （修正有）【課題】複数の文房具の機能を有し、しかも、この機能を自由に選択して、変更することが可能な、複合文房具及び任意の複数文房具セットを提供する。【解決手段】後端部に第１の取り付け部９が設けられた第１の文房具３と、後端部に第２の取り付け部が設けられた第２の文房具５とを備え、前記第１の取り付け部と前記第２の取り付け部を取り外し可能に連結することに構成されていて、前記第１の取り付け部と前記第２の取り付け部は同一の構成又は構造を有している。【選択図】図１
2014162088.tif 000002
【特許請求の範囲】
【請求項１】
後端部に第１の取り付け部が設けられた第１の文房具と、後端部に第２の取り付け部が設
けられた第２の文房具とを備え、前記第１の取り付け部と前記第２の取り付け部を取り外
し可能に連結することに構成されていて、前記第１の取り付け部と前記第２の取り付け部
は同一の構成又は構造を有していることを特徴とする複合文房具。
【請求項２】
後端部に取り付け部が設けられた文房具を複数種類揃え、それぞれの取り付け部は同一の
構成又は構造を有し、任意により２種類を選択して、後端部同士を取り外し可能に連結し、それにより複合文房具を構成していることを特徴とする文房具セット。
【請求項３】
前記取り付け部は同じ構成又は構造を有し、円柱状の基部の表面の周方向対称位置から突き出た一対の接続脚部を有し、
前記基部は一対の接続脚部の間で一対の固定用凹部を有し、
それぞれの接続脚部は、ほぼ扇型を有し、外面に複数本のネジ溝を有し、
それぞれの固定用凹部は、ほぼ扇形を有し、周方向一方側が嵌め込み部として形成され、周方向他方側がネジ結合部として形成されていて、
前記嵌め込み部の内周面は、滑らかに形成され、
前記ネジ結合部の内周面には、複数本のネジ条が設けられていることを特徴とした請求
項１記載の複合文房具。
【請求項４】
前記取り付け部は同じ構成又は構造を有し、短い円柱状の基部の表面の周方向対称位置から突き出た一対の接続脚部を有し、
前記基部は一対の接続脚部の間で一対の固定用凹部を有し、
それぞれの接続脚部は、ほぼ扇型を有し、外面に複数本のネジ溝を有し、
それぞれの固定用凹部は、ほぼ扇形を有し、周方向一方側が嵌め込み部として形成され、周方向他方側がネジ結合部として形成されていて、
前記嵌め込み部の内周面は、滑らかに形成され、
前記ネジ結合部の内周面には、複数本のネジ条が設けられていることを特徴とした請求
項２記載の文房具セット。
【請求項５】
第１の文房具はボールペンであり、このボールペンの芯の押し出しや、芯をしまう操作を、筆記中の指のまま操作可能にするために、ボールペンの前方指先付近に、芯操作部を設置したことを特徴とする請求項１記載の複合文房具。
【請求項６】
第１の文房具はボールペンであり、このボールペンの芯材として芯材横に凸部を構成し、この凸部はボールペン本体外から出る操作部と当接して、ボールペン芯材を操作するために構成されたことを特徴とする請求項１記載の複合文房具。
【発明の詳細な説明】
【技術分野】
【０００１】
本発明は、多目的に使用でき、複数の文房具が任意に組み合わせのできる、複合文房具及び文房具セットに関する。
【背景技術】
【０００２】
従来、シャープペンやボールペンに、複合的機能のものとして、例えば、特許文献1や特許文献2に記載されたものが、広く知られている。特許文献1のものは、シャープペンの後端部に、消しゴムをつけたものであり、特許文献2のものは、複数本の芯を選択的に使用できるようにしている。
【先行技術文献】
【特許文献】
【０００３】
【特許文献１】特開    ２０１３−１０３１号公報
【特許文献２】特開    ２０１２−０９１４７４号公報
【発明の概要】
【発明が解決しようとする課題】
【０００４】
従来、シャープペンの後端部に消しゴムを付けたものは、書く機能と、消す機能を有し、複数本の芯を選択的に使用できるものは、複数色での記載できる機能を有している。とこ
ろが、シャープペンの後端部に、設けておきたい機能は、使用者によって大きく異なる。
例えば、ある使用者は、シャープペンとカッターとの複合を望むかもしれないし、ほかの使用者は、シャープペンと蛍光ペンとの複合を望むかもしれない。また、ボールペンの複数色の使い分け機能を持たせるよりも、例えば、一色のボールペンに、修正ペンの機能を持たせることが、望まれる場合もある。そこで、本発明は、複数の文房具の機能を有し、しかも、この機能を自由に選択して、変更することが可能な、複合文房具及び任意の複数文房具セットの提供を目的とする。
【課題を解決するための手段】
【０００５】
請求項１の発明、後端部に第１の取り付け部が設けられた第１の文房具と、後端部に第
２の取り付け部が設けられた第２の文房具とを備え、前記第１の取り付け部と前記第２の取り付け部を取り外し可能に連結することに構成されていて、前記第１の取り付け部と前記第２の取り付け部は同一の構成又は構造を有しているものである。
【０００６】
請求項２の発明、後端部に取り付け部が設けられた文房具を複数種類揃え、それぞれの取り付け部は同一の構成又は構造を有し、任意により２種類を選択して、後端部同士を取り外し可能に連結し、それにより複合文房具を構成しているものである。
【０００７】
請求項３の発明、複合文房具において前記取り付け部は同じ構成又は構造を有し、円柱状の基部の表面の周方向対称位置から突き出た一対の接続脚部を有し、前記基部は一対の接続脚部の間で一対の固定用凹部を有し、それぞれの接続脚部は、ほぼ扇型を有し、外面に複数本のネジ溝を有し、それぞれの固定用凹部は、ほぼ扇形を有し、周方向一方側が嵌め込み部として形成され、周方向他方側がネジ結合部として形成されていて、前記嵌め込み部の内周面は、滑らかに形成され、前記ネジ結合部の内周面には、複数本のネジ条が設
けられているものである。
【０００８】
請求項４の発明、文房具セットにおいて前記取り付け部は同じ構成又は構造を有し、円柱状の基部の表面の周方向対称位置から突き出た一対の接続脚部を有し、前記基部は一対の接続脚部の間で一対の固定用凹部を有し、それぞれの接続脚部は、ほぼ扇型を有し、外面に複数本のネジ溝を有し、それぞれの固定用凹部は、ほぼ扇形を有し、周方向一方側が嵌め込み部として形成され、周方向他方側がネジ結合部として形成されていて、前記嵌め込み部の内周面は、滑らかに形成され、前記ネジ結合部の内周面には、複数本のネジ条が設けられているものである。
【０００９】
請求項５の発明、第１の文房具はボールペンであり、このボールペンの芯の押し出しや、芯をしまう操作を筆記中の指のまま操作可能にするために、ボールペンの前方指先付近に、芯操作部を設置したものである。
【００１０】
請求項６の発明、第１の文房具はボールペンであり、ボールペンの芯材として芯材横に凸部を構成し、この凸部はボールペン本体外から出る操作部と当接して、ボールペン芯材を操作するために構成されたものである。
【発明の効果】
【００１１】
取り付け部が設けられた文房具を複数種類揃え、使用者が任意により使用頻度の高いものを２種類選び、その２種類の後端部同士をお互いに嵌め合せ１本にすることで、個々にあった２種類の機能を有する１本の複合文房具ができ、何種類も持ち歩くことがなく使用できる。
【００１２】
取り付け部は、複数種類の文房具で同一の構成又は構造を有している。
【図面の簡単な説明】
【００１３】
【図１】本発明の分解斜視図である。
【図２】本発明の斜視図である。
【図３】本発明、結合部の斜面図である。
【図４】本発明、結合部の上からの一部切断斜面図である。
【図５】本発明、結合部の解体図である。
【図６】本発明、結合部付きボールペンの解体図である。
【図７】本発明、結合部付きボールペンの縦切断部である。
【図８】本発明、結合部付き蛍光ペンの斜視図である。
【図９】本発明、結合部付きカッターの斜視図である。
【図１０】本発明、結合部付きマジックペンの斜視図である。
【発明を実施するための形態】
【００１４】
以下、発明の実施をするための形態について説明する。
【００１５】
図１及び図2に示す複合ペン1は、ボールペン3と、このボールペン３に取り外し可能に接続された修正ペン５を有している。ボールペン３は、ボールペン部７とこのボールペ部７の後端部に固定した結合部９を有する。修正ペン５は、修正ペン部１０と、この修正ペン部１０の後端部に固定した結合部９を有する。そして、ボールペン３の結合部９と、修正ペン５の結合部９の結合により１本の複合ペン１が構成される。ボールペン３の結合部９と修正ペン５の結合部９は同一の構成又は構造を有している。また、図１に示す複合ペン１の修正ペン５の先端には、修正液出し部６があり、使用する場合は、安全キャップ８をはずしインク出し部６で筆記した文字を消し、使用しない場合は、修正液出し部６からのインクの渇き防止や、けが防止のため安全キャップ８が修正ペン５と係合している。
【００１６】
結合部構造について説明する。図３、図４（２本有する接続脚部１５の手前になる１本の接続脚部１５を切断）及び図５を参照すると、結合部９は円柱状の基部１１と、この基部１１の裏面から突出する雄ネジ部１３と、基部１１の表面の周方向対称位置から突き出た一対の接続脚部１５と１５を有し、基部１１は一対の接続脚部１５の間で一対の固定用凹部１７、１７を有している。それぞれの接続脚部１５は、断面中心角６０度のほぼ扇型を有し、外面に複数本のネジ溝２１を有している。また、一対の接続脚部１５の中心には、
嵌め合せ用の中心孔が構成されている。それぞれの固定用凹部１７には、中心角１２０度のほぼ扇形を有し、周方向一方側が嵌め込み部２３として形成され、周方向他方側がネジ結合部２５として形成されている。嵌め込み部２３の内周面は、滑らかに形成されている。ネジ結合部２５の内周面には、複数本のネジ条（螺旋状）２７が設けられている。このような構成の結合部９同士を結合するには、一方の結合部９の一対の接続脚部１５が他方の結合部９の一対の嵌め込み部２３内に嵌り込み、他方の結合部９の一対の接続脚部１５が、一方の結合部９の一対の嵌め込み部２３内に嵌り込むように結合部９同士を嵌め合せる。結合部９同士を嵌め合せたら、一方の結合部９を他方の結合部９に対して９０度回転する。そうすると、一方の結合部９の接続脚部１５のネジ溝２１内に、他方の結合部９のネジ結合部２５のネジ条（螺旋状）２７が入り込み、且つ他方の結合部９の接続脚部１５のネジ溝２１内に、一方の接合部９のネジ結合部２５のネジ条（螺旋状）２７が入り込んで、一対の結合部９同士が外れないように連結される。また、結合部９同士を外すには、一方の結合部９を他方の結合部９に対して逆方向に９０度回転させ、一方の結合部９の接続脚部１５を、他方の結合部９の嵌め込み部２３に位置させ、他方の結合部９の接続脚部１５を一方の結合部９の嵌め込み部２３に位置させる。そうすると一対の結合部９が分離させることが可能となる。
【００１７】
次に、結合部付きボールペンの構造について説明する。ボールペン部７は、図６及び図７に示すように外筒２９と、この外筒２９内に挿入された操作筒３１と、この操作筒３１内に通された芯材３３と、外筒２９の先端部に固定されるキャップ３５とを有していて、芯材３３の先端側には、ストッパーフランジ３７が設けられ、芯材３３の先端側にはストッパーフランジ３７とキャップ３５の間に位置するように、圧縮スプリング３９がはめられている。したがって、芯材３３はストッパーフランジ３７が操作筒３１の先端に当接するように圧縮スプリング３９で後方に押されている。操作筒３１の外周には、周方向一ヶ所に長い変形用窓４０が形成されていて、この変形用窓４０の先端根元部に一体的に接続された操作片４２が変形用窓４０内で上下方向に変形できるように形成されている。操作片４２の先端側は操作突起４１が形成され、後端側にストッパー突起４３が形成されている。外筒２９には先端側に、操作窓４５が形成され、この操作窓４５の後方に、第１のストッパー窓４７及び、第２のストッパー窓４９が間隔を有して形成されている。操作筒３１は、ストッパー突起４３が、第２のストッパー窓４９内に位置し操作突起４１が、操作窓４５内に位置するように外筒２９内に挿入されている。ストッパー突起４３は傾斜部が前側に位置し、直角部が後側に位置する台形状に形成され、操作突起４１は傾斜部が前側に位置し、直角部が後側に位置する台形状に形成されていて、操作突起４１を下側に押し下げると操作片４２が下側に変形し、ストッパー突起４３が下側に変位するようになって
いる。操作突起４１の直角部を前側に押し出すと、ストッパー突起４３が第2のストッパー窓４９と、第１のストッパー窓４７との間をくぐり抜け、第１のストッパー窓４７に入り込み、第1のストッパー窓４７の後端と係合し、操作筒３１が芯材３３のストッパーフランジ３７を押し圧縮スプリング３９を圧縮して前進し保持される。この状態では芯材３３の芯材先端部４４はキャップ３５から突起し、筆記のできるようになっている。またここで、操作突起４１を下側に押し下げると、操作片４２が下側に変形しストッパー突起４３が下側に変位する。そうすると、圧縮スプリング３９のバネの力に押されて、ストッパー突起４３が、第1のストッパー窓４７と第２のストッパー窓４９との間をくぐり抜け、第２のストッパー窓４９に入り込み、第２のストッパー窓４９の後端と係合するように、操作筒３１が後退し保持される。この状態では芯材３３の芯材先端部４４は、キャップ３５内に収まっている。従来のボールペンでは、筆記するための芯の押し出しや芯をしまうため手を持ち替える必要があったが、ここで説明したボールペンは、操作突起４１が前方の指先付近に位置するため、筆記する指の位置で芯の押し出しや芯をしまう動作が可能である。
【００１８】
そして、結合部付き蛍光ペンについて説明する。図８に示す結合部付き蛍光ペン５０は、
蛍光ペン部５１と結合部９と安全キャップ部８とを有している。蛍光ペン５０の結合部９は、ボールペン３や修正ペン５の結合部９と同一の構成又は構造を有している。蛍光ペン部５１の先端には、蛍光インク部５３があり、筆記する場合は、安全キャップ８をはずし蛍光インク部５３で筆記する。筆記しない場合は、蛍光インク部５３からのインクの渇き防止や、けが防止のため安全キャップ８が蛍光ペン部５１と係合している。
【００１９】
また、結合部付きカッターについて説明する。図９に示す結合部付きカッター６０は、カッター部６１と結合部９と安全キャップ８とを有している。カッター６０の結合部９は、ボールペン３や修正ペン５の結合部９と同一の構成又は構造を有している。カッター部６１の先端には、カッター刃部６３があり、カッター刃部６３を使用する場合は、安全キャップ８をはずし使用する。カッター刃部６３を使用しない場合は、カッター刃部６３のサビの防止や、けが防止のため安全キャップ８がカッター部６１と係合している。
【００２０】
さらに、結合部付きマジックペンについて説明する。図１０に示す結合部付きマジックペン７０は、マジックペン部７１と結合部９と安全キャップ８とを有している。マジックペンの結合部９は、ボールペン３や修正ペン５の結合部９と同一の構成又は構造を有して
いる。マジックペン部７１の先端には、マジックインク部７３があり、筆記する場合は、安全キャップ８をはずしマジックインク部７３で筆記する。筆記しない場合は、マジックインク部７３からのインクの渇き防止や、けが防止のため安全キャップ８がマジックペン部７１と係合している。
【００２１】
図８、図９、図１０に示した以外に、定規、接着ノリ、シャープペンシル、消しゴム、コンパスに結合部９を取り付けることが可能である。そのため、ここに説明した着脱可能な文房具セットにすることが可能である。
【産業上の利用可能性】
【００２２】
筆記するためや、筆記したものを消したり、線を引いたり、物を切ったり、紙同士を張り付けたり、個々に２本の使用頻度の高い物を任意で選び１本にして使用できる複合文房具及び文房具セットができる。
【符号の説明】
【００２３】
１    複合ペン
３    ボールペン
５    修正ペン
６    修正液出し部
７    ボールペン部
８    安全キャップ
９    結合部
１０  修正ペン部
１１  基部
１３  雄ネジ部
１５  接続脚部
１７  固定用凹部
２１  ネジ溝
２３  嵌め込み部
２５  ネジ結合部
２７  ネジ条（螺旋状）
２９  外筒                                                                        
３１  操作筒
３３  芯材
３５  キャップ
３７  ストッパーフランジ
３９  圧縮スプリング
４０  変形用窓
４１  操作突起
４２  操作片
４３  ストッパー突起
４４  芯材先端部
４５  操作窓
４７  第１のストッパー窓
４９  第２のストッパー窓
５０  蛍光ペン
５１  蛍光ペン部
５３  蛍光インク部
６０  カッター
６１  カッター部
６３  カッター刃部
７０  マジックペン
７１  マジックペン部
７３  マジックインク部
−１−
【図１】
2014162088.tif 000003
【図２】
2014162088.tif 000004
【図３】
2014162088.tif 000005
【図４】
2014162088.tif 000006
【図５】
2014162088.tif 000007
【図６】
2014162088.tif 000008
【図７】
2014162088.tif 000009
【図８】
2014162088.tif 000010
【図９】
2014162088.tif 000011
【図１０】
2014162088.tif 000012